(57)【特許請求の範囲】
【請求項１】
走行車（ａ１）と、
この走行車（ａ１）の上から地面に向けて傾斜状に設置される苗箱搬送コンベヤ（ａ２）と、を備え、
前記苗箱搬送コンベヤ（ａ２）を、前記走行車（ａ１）の上に横アジャスター機構（７１，７１−１，７１−２）で横スライド可能に支持させてなる苗箱整列装置であって、
前記走行車（ａ１）は、車体フレーム（１１）を具備し、該車体フレーム（１１）に、駆動モータ（１３）からの駆動力を受けて駆動回転する駆動タイヤ（１２）と、方向転換用のタイヤ（１７）と、前記車体フレーム（１１）の走行前方に備えられて前記方向転換用のタイヤ（１７）を操作するハンドル（１９）と、を設けて自立走行可能と成し、
前記苗箱搬送コンベヤ（ａ２）は、複数枚の苗箱（ｂ）をコンベヤ始端側からコンベヤ終端側へと一例状に搬送する搬送路（ａ２’）を備え、
前記搬送路（ａ２’）は、前記走行車（ａ１）上の前記コンベア始端側から走行後方に向けて傾斜延出させて前記コンベヤ終端側を地面に接触若しくは近接させるように構成され、かつ、前記苗箱（ｂ）を前記コンベヤ始端側から前記コンベヤ終端側へ向けて、前記走行車（ａ１）の走行速度に同調連繋させた搬送速度で搬送する無端状の搬送ベルト（２８）を配設して搬送面（２０）を構成してなり、
前記横アジャスター機構（７１，７１−１，７１−２）は、前記走行車（ａ１）の前記車体フレーム（１１）に対し、前記苗箱搬送コンベヤ（ａ２）を左右スライド可能に支持する支持部（７１ａ，７１−１ａ，７１−２ａ）と、
前記走行車（ａ１）の前記ハンドル（１９）側に位置させて手元操作を可能にする操作部（７１ｂ，７１−１ｂ，７１−２ｂ）と、
この操作部（７１ｂ，７１−１ｂ，７１−２ｂ）に連繋されて、該操作部（７１ｂ，７１−１ｂ，７１−２ｂ）の正逆回転操作に伴い前記苗箱搬送コンベヤ（ａ２）を左右何れかの方向に水平移動させる動作伝達機構部（７１ｃ，７１−１ｃ，７１−２ｃ）と、を備えて構成されていることを特徴とする苗箱整列装置。
【請求項２】
請求項１に記載の苗箱整列装置において、
前記苗箱搬送コンベヤ（ａ２）の前記コンベヤ終端部に、同コンベヤ終端部と地面との間を連絡する傾動板（４０）の基端部を軸支して、該傾動板（４０）の先端部側が地面とその上方との間を傾動するように回動可能に取り付けるとともに、跳ね上げ用バネ（４５）を設けて、前記傾動板（４０）の先端部側を常時上方へ跳ね上げるように付勢し、該傾動板（４０）の上を苗箱（ｂ）が通過する際において、苗箱（ｂ）の自重により前記傾動板（４０）の先端部側が地面に接地するように構成されていることを特徴とする苗箱整列装置。
【発明の詳細な説明】
【０００１】
【発明の属する技術分野】
本発明は、苗箱をビニールハウス内等の地面に半自動的に整列する装置に関する。
【０００２】
【従来の技術】
従来、ビニールハウス内の地面に種蒔きした苗箱を整列する作業は、苗箱を人手によって地面に順次整列していく作業であった。しかし、この作業は、屈んだ姿勢を保ちながら重い苗箱を繰り返し地面に整列せしめるために、作業者にとって負担となり、非常に大変な作業であった。
【０００３】
そこで、上記したような苗箱の整列作業を自動的に行うための装置が開発されている（特開平８−２６６１５９号）。
上記他苗箱の自動整列装置は、ビニールハウス内に縦レールを敷設し、該縦レール上に沿って縦移動車を自走可能に載置する。又、上記縦移動車には、左右方向へ伸びる横レールを取り付け、該横レール上に横移動車を載置してある。
上記横移動車には苗箱を積み重ねた状態で収容する箱を設け、上記横レール上を横移動車が苗箱の幅と同じ距離ずつ移動しながら、上記箱内に収納した苗箱を順次地面に一枚ずつ送り出す作業を繰り返すことにより、地面に苗箱を横一列に整列する。又、上記したように、苗箱を横レールに沿って一列に整列したならば、上記縦移動車を縦レール上に沿って苗箱の長さと同じ距離を移動した後、上記した横移動車による苗箱の送り出し動作を繰り返して行うように構成したものである。
【０００４】
【発明が解決しようとする課題】
上記した従来の苗箱の自動整列装置は、苗床をハウス内の地面に整列する作業を全自動的に行うことが可能である。しかし、その反面、上記苗箱の自動整列装置は、作業の全自動化を前提として構成してあるため、縦横両レールの設置が必須であることから、例えば、１ヶ所のハウス内への整列作業が終わり、別のハウス内への整列作業を行う場合等には縦横レールを移設する作業を繰り返さなければならないばかりか、縦移動車及び横移動車の構造が大変複雑化することは回避できない。その結果、レールの移設等の準備作業に手間が掛かり重労働になるばかりか、装置の製造コストの増大が著しく、大変高価なものとなっていた。
【０００５】
本発明の目的は、上記した如き苗箱整列装置に関し、苗箱の整列作業を合理的に半自動化する構造の整列装置を提供することで、構造を大幅に簡素化して製造コストの低減を効果的に図ることにある。又、苗箱を整列する地面の凸凹等の状態に関わらず苗箱をスムーズに且つ規則正しく整列し得る構造の苗箱整列装置を提供することにある。
【０００６】
【課題を解決するための手段】
前記した課題を解決するために、本発明は、走行車と、この走行車の上から地面に向けて傾斜状に設置される苗箱搬送コンベヤと、を備え、前記苗箱搬送コンベヤを、前記走行車の上に横アジャスター機構で横スライド可能に支持させてなる苗箱整列装置であって、
前記走行車は、車体フレームを具備し、該車体フレームに、駆動モータからの駆動力を受けて駆動回転する駆動タイヤと、方向転換用のタイヤと、前記車体フレームの走行前方に設置されて前記方向転換用のタイヤを操作するハンドルとを設けて自立走行可能と成し、
前記苗箱搬送コンベヤは、複数枚の苗箱をコンベヤ始端側からコンベヤ終端側へと一例状に搬送する搬送路を備え、前記搬送路は、前記走行車上の前記コンベア始端側から走行後方に向けて傾斜延出させて前記コンベヤ終端側を地面に接触若しくは近接させるように構成され、かつ、前記苗箱を前記コンベヤ始端側から前記コンベヤ終端側へ向けて、前記走行車の走行速度に同調連繋させた搬送速度で搬送する無端状の搬送ベルトを配設して搬送面を構成してなり、
前記横アジャスター機構は、前記走行車の前記車体フレームに対し、前記苗箱搬送コンベヤを左右スライド可能に支持する支持部と、前記走行車の前記ハンドル側に位置させて手元操作を可能にする操作部と、この操作部に連繋されて、該操作部の正逆回転操作に伴い前記苗箱搬送コンベヤを左右何れかの方向に水平移動させる動作伝達機構部とを備えて構成されていることを特徴とする。
【０００７】
前記した手段によれば、走行車は、車体フレームに駆動タイヤと方向転換用タイヤを設け、苗箱を地面に一列状に整列するときの車体フレームの走行方向前側にハンドルを設けている。これにより、走行車は、駆動モータにより駆動回転する駆動タイヤにより自走し、作業者によるハンドル操作により走行方向が乱れたときには修正される。
そして、走行車の上から地面に向けて傾斜状に設置されている苗箱搬送コンベヤは、複数枚の苗箱を一列状に搬送する搬送路の搬送面を構成する無端状の搬送ベルトにより、苗箱を走行車上のコンベヤ始端側から地面に向けて接触若しくは接近させたコンベヤ終端側へ向けて、走行車の走行速度に同調連繋させた搬送速度で搬送しながら、苗箱を一枚ずつ地面に送り出す。
これにより、苗箱は、走行車の走行方向に向けて地面に一列状に整列（並列）されるように並べられて行く。このとき、地面に既に並べられている前列（一列目ないし数列目）の苗箱列に沿わせて直進走行させる走行車が地面の凸凹などによって乱れたときには、走行車の直進走行を操作するハンドル側に位置して設けられている横アジャスター機構の操作部による手元操作により、動作伝達機構部を動かし、苗箱搬送コンベヤを水平移動（横移動）させることによって、走行車の直進走行の乱れに伴う前列の苗箱列との整列乱れを修正することができる。
【０００８】
また、本発明の苗箱整列装置は、前記苗箱搬送コンベヤの前記コンベヤ終端部に、同コンベヤ終端部と地面との間を連絡する傾動板の基端部を軸支して、該傾動板の先端部側が地面とその上方との間を傾動するように取り付け、かつ、跳ね上げ用バネを設けて、前記傾動板の先端部側を常時上方へ跳ね上げるように付勢して、該傾動板の上を苗箱が通過する際において、苗箱の自重により前記傾動板の先端部側が地面に接地するように構成されていることを特徴とする。
【０００９】
前記の手段によれば、苗箱搬送コンベヤのコンベヤ終端部に、このコンベヤ終端部と地面とを連絡するとともに、地面とその上方との間を傾動するように取り付けられている傾動板は、跳ね上げ用バネの付勢力によって、常時先端部側が上方へ跳ね上がった状態に維持されている。
これにより、例えば、苗箱整列装置を、保管場所などから整列作業を行うビニールハウスなどへと移動させるなどのときには、苗箱搬送コンベヤのコンベア終端部に取り付けられている傾斜板は地面から離れた状態になっているので、移動中に地面に接触、特に凸凹な地表面に接触することを防ぎ、円滑な移動や方向転換を行うことができる。
一方、ビニールハウスなどにおける整列作業中においては、苗箱搬送コンベヤのコンベヤ始端側から搬送されてくる苗箱が傾動板の上を通過するときに、苗箱の自重によって傾動板の先端部側が地面に向けて下がり、苗箱搬送コンベヤのコンベヤ終端部と地面とを連絡する。これにより、コンベヤ終端部から地面へ向けて苗箱を円滑に、かつ、衝撃などを与えること無く送り出し、地面に一列状に整列させることができる。
【００１３】
【発明の実施の形態】
本発明の一実施例を図面に基づいて説明する。
添付図において、図１〜図８は、本発明苗箱整列装置の実施の基本形態を示し、図９〜図１６は、横アジャスター機構を備えた本発明苗箱整列装置の各実施形態をそれぞれ示す。
まず、図１〜図８に示す本発明苗箱整列装置ａの基本形態について説明する。
この苗箱整列装置ａは、自走可能な走行車ａ１と、この走行車ａ１の上から地面に向けて傾斜状に設置される苗箱搬送コンベヤａ２とを備えて構成されている。
この苗箱整列装置ａは、走行車ａ１にて所定の速度にて走行しながら、傾斜する苗箱搬送コンベヤａ２により各苗箱ｂを上方から下方へ向けて順次搬送し、地面に接近或いは接触しているコンベヤ終端部から地面に１枚ずつ送り出すことにより、苗箱ｂを地面に一列状に整列するようになっている。
【００１４】
上記走行車ａ１は、パイプ材と鋼板から枠組み形成してなる車体フレーム１１を具備している。同車体フレーム１１は、鋼板から成る前半部１１ａと、角パイプから成る枠形の後半部１１ｂを一体に連結して構成してある。
上記車体フレーム１１の走行前方（図１において右側）寄りの部分には車軸１２ａを横架して回転自在に軸支してある。そして、上記車体フレーム１１の左右両側部から突出する車軸１２ａの両端部には、駆動タイヤ１２を取り付け固定し、左右一対の駆動タイヤ１２が上記車軸１２ａを介して同時に回転するように構成してある。
【００１５】
上記車体フレーム１１の車軸１２ａの上方には、減速機構付きの駆動モータ１３を設置し、該駆動モータ１３の出力軸１３ａと連結した駆動軸１３ｂに設けたプーリ１４ａと、上記車軸１２ａの中間に取り付けたプーリ１４ｂとの間にＶベルト１４ｃを架設してある。
尚、上記Ｖベルト１４ｃは、両プーリ１４ａ，１４ｂの間に緩めた状態で架設し、通常時においては駆動側のプーリ１４ａが空回りして動力の伝達が行われないように構成してある。
【００１６】
又、上記Ｖベルト近傍の車体フレーム１１には、上記プーリ１４ａ，１４ｂ間に架設したＶベルト１４ｃに張力を与えて上記両プーリ１４ａ，１４ｂ間における動力伝達を接続したり切ったりするクラッチレバー１５を設けてある。
上記クラッチレバー１５は、その下端を車体フレーム１１の前半部１１ａに軸支し、該クラッチレバー１５を傾動可能に支持してある。上記クラッチレバー１５の下端寄りの中間部には、テンションローラ１５ａを設け、該テンションローラ１５ａによって、上記プーリ１４ａ，１４ｂの間に架設したＶベルト１４ｃにテンションを加えるように構成してある。
【００１７】
更に、上記クラッチレバー１５のテンションローラ１５ａ付近と、車体フレーム１１の下部との間には、コイルスプリング１５ｂを架設し、このコイルスプリング１５ｂの張力により、上記クラッチレバー１５に設けたテンションローラ１５ａが上記プーリ１４ａ，１４ｂ間に架設したＶベルト１４ｃの中間部に押圧されるように構成してある。
上記状態において、クラッチレバー１５は上方位置にある。この状態では、上記コイルスプリング１５ｂが同クラッチレバー１５の支点１５ｃよりも後方側に位置した状態で張力が加わるので、同クラッチレバー１５は、上方位置へ傾動した状態で保持される。その結果、上記Ｖベルト１４ｃには適度な張力が加えられ、上記プーリ１４ａからプーリ１４ｂ間の動力伝達が可能な状態、即ち、走行車ａ１が自走可能になる。
【００１８】
又、上記クラッチレバー１５を下方へ傾動せしめると、上記コイルスプリング１５ｂが同クラッチレバー１５の支点１５ｃを超えた状態で張力が加わるので、同クラッチレバー１５は、下方へ傾動した状態で保持され、上記テンションローラ１５ａがプーリ１４ａ，１４ｂ間のＶベルト１４ｃから離間した状態となる。即ち、上記クラッチレバー１５を下方へ傾動せしめると、テンションローラ１５ａがＶベルト１４ｃから離れて同Ｖベルト１４ｃの張力が緩められ、これにより、動力の伝達が行われない状態、即ち、走行車ａ１が停止することになる。
【００１９】
又、上記した如くクラッチ機能を具備する動力伝達機構は、上記したプーリ１４ａ，１４ｂとクラッチレバー１５の隣にもう一組設けてある（図４参照）。もう一組の動力伝達機構は、上記したものと同様に構成してあるが、車軸１２ａに設ける従動側のプーリ１４ｂ’の直径を、その隣のプーリ１４ｂの直径よりも大径に形成してある。即ち、クラッチレバー１５’側の動力伝達機構は、低速，高トルク用であり、又、上記したクラッチレバー１５は高速用である。上記両クラッチレバー１５，１５’は走行車ａ１を走行させる際に、その走行場所の地面状態に対応して切り換え操作することにより、円滑な走行を行うことができる。
又、上記車体フレーム１１の上面及び前後左右の面は、着脱可能なカバー５７により覆ってある。
【００２０】
上記走行車ａ１が具備する車体フレーム１１後半部１１ｂの後端部には、平面視略三角形の支持杆１１ｃを突出させ、その突出先端部に筒状のボス部１１ｄを垂直に取り付け支持してある。上記ボス部１１ｄには、タイヤ支持体１６に設けた枢軸１６ａを嵌挿して回転自在に枢支してある。
【００２１】
タイヤ支持体１６は、左右一対の方向転換用のタイヤ１７を回転自在に軸支する。即ち、走行車ａ１は、前輪となる左右２本の駆動タイヤ１２と、後輪となる２本のタイヤ１７により自立して走行することになる。
上記した如く、左右一対のタイヤ１７を支持するタイヤ支持体１６からは、左右両側部に延出する作動アーム１６ｂを設けてある。上記した左右両作動アーム１６ｂの両延出端部には、各々連結ロッド１８の後端部を枢着して接続し、該連結ロッド１８を介して、上記作動アーム１６ｂと、車体フレーム１１の前端面に設けたハンドル19の回動アーム１９ｄとを連絡せしめてある。
【００２２】
尚、前記したクラッチレバー１５，１５’を下方へ引いてクラッチが切れた状態にある場合は、上記駆動タイヤ１２が自由に回転するようになる。従って、この状態において、上記苗箱整列装置ａは、ハンドル19のハンドル部１９ｂを持って押すことにより、後方へ走行させることが可能となり、又、同ハンドル部１９を持って引くことにより、前方へ走行せしめることができる。
【００２３】
ハンドル19は、上記方向転換用のタイヤ１７の傾斜角度を変更して、走行車ａ１の進行方向をコントロールするものであり、垂直部１９ａの上端部に平面視略コ形に屈曲形成したハンドル部１９ｂを取り付け支持することにより構成してある。尚、上記したハンドル部１９ｂは、苗箱整列装置ａの駆動力を断って人力により押して走行させる場合の握り部にもなる。
又、ハンドル19は、垂直部１９ａの下端部を、車体フレーム１１の前端部の中央に垂直状態にて取り付け支持した嵌入部１９ｃに嵌入して垂直状態を維持した状態にて回転可能に取り付け支持してある。又、上記ハンドル19の垂直部１９ａの下端部は、上記嵌入部１９ｃの下端口に対して回転自在に嵌着した回動アーム１９ｄに接続し、同ハンドル19を回動操作することにより、上記回動アーム１９ｄが同じ角度ずつ回動するように構成してある。
【００２４】
前述したように、上記回動アーム１９ｄの左右両端部と、タイヤ支持体１６の作動アーム１６ｂの左右両端部との間には、各々連結ロッド１８を連絡し、各々の接続部分を枢着してある。即ち、上記したように作動アーム１６ｂと回動アーム１９ｄとの両端部同士は、両連結ロッド１８により連絡され、リンク機構を構成することになる（図１及び図７参照）。
よって、例えば上記ハンドル19を回動させた場合、上記回動アーム１９ｄが回動し、左右両連結ロッド１８の一方が押されると同時に他方が引かれた状態となり、その作動により、タイヤ支持体１６の作動アーム１６ｂが上記回動アーム１９ｄと同じ方向へ同じ角度だけ回動して、方向転換用のタイヤ１７が上記ハンドル19の回動方向と同じ方向に傾斜する。
【００２５】
走行車ａ１の車体フレーム１１の後半部11bには、上記駆動モータ１３を駆動せしめるバッテリー５１を設置し、上記駆動モータ１３に対して電力の供給するように構成してある。
一方、ハンドル19上部のハンドル部１９ｂの中央部には、コントロールボックス２１を設置してある。コントロールボックス５２は、上記走行車ａ１の駆動モータ１３と、後述する苗箱搬送コンベヤａ２の駆動モータのＯＮ／ＯＦＦを行うスイッチと、回転速度の調節を行うボリュームが設けてある。
【００２６】
前述したコントロールボックス５２のスイッチとボリュームを操作することにより、走行車の走行と停止、及びその速度調節、及び苗箱搬送コンベヤａ２の作動と停止、及びその搬送速度の調節を行う。又、作業者は、ハンドル19のハンドル部１９ｂに手を添えた状態にて、上記コントロールボックス５２の操作を無理なく行うことができる。
【００２７】
尚、上記走行車ａ１の走行方向左側には、矢印杆５５の基端を軸支し、該矢印杆５５が収納位置となる垂直状態と側方へ突出する使用位置との間を回動するように構成してある。上記矢印杆５５の先端部を略くの字に屈曲させ、その先端部に設けた矢印２４ａが地面を指すように構成してある。
上記矢印杆５５は、走行車ａ１の走行方向を定めるための目印であり、上記矢印５５ａが地面に整列させた前列の苗箱ｂの一側縁部に沿って移動するように走行車ａ１を走行させることにより、同走行車ａ１上の苗箱搬送コンベヤａ２から地面に載置される苗箱ｂが、既に地面に整列してある前列の苗箱ｂ列の他側縁部に沿って綺麗に整列される。
【００２８】
走行車ａ１が具備する車体フレーム１１後半部の左右両側部には、支持杆５６を垂直に取り付け支持し、この両支持杆５６の先端部にて苗箱搬送コンベヤａ２の中間部を支持し、同苗箱搬送コンベヤａ２を傾斜状に保持している。
苗箱搬送コンベヤａ２は、多数枚の苗箱の両側部をガイドして一例状に載置せしめる搬送路ａ２’を構成し、該搬送路ａ２’上に載置した苗箱ｂを高位置のコンベヤ始端側から低位置の終端側へ向けて搬送せしめるように構成してある。
尚、上記苗箱搬送コンベヤａ２は、コンベヤ始端側が走行車ａ１の駆動タイヤ１２の上方に位置し、又、コンベヤ終端側が同走行車ａ１の方向転換用のタイヤ１７から更に後方の地面へ向けて延出する状態で傾斜せしめてある（図１参照）。
【００２９】
苗箱搬送コンベヤａ２は、平面視略梯子形に形成した枠体２２の左右両側辺部２２ａに沿って略帯板状のガイド板２１の下辺部を止着して各々垂直に取り付け支持し、この左右一対のガイド板２１の内面同士が、苗箱ｂの幅よりも幾分広い間隔を介して並行状に配置されるように構成してある（図２参照）。
又、上記枠体２２の始端部寄りの部位と、終端部とにおける左右両辺部２２ａの間には、駆動軸２３ａと折り返し軸２５ａとを架設してある。又、上記駆動軸２３ａの左右両側及び中央部には、駆動プーリ２３ｂを取り付け固定し、且つ、折り返し軸２５ａの左右両側及び中央部にも、折り返しプーリ２５ｂを取り付け固定してある。
【００３０】
そして、左右両辺部２２ａ間に架設した駆動軸２３ａと折り返し軸２５ａとの間には、適宜本数、例えば３本の中間軸２４ａをコンベヤの長さ方向に適宜間隔を置いて架設し、これら各中間軸２４ａの左右両側と中央部に中間プーリ２４ｂを取り付け固定してある。
又、左右両側辺部２２ａに沿っては適宜本数、例えば４本の片持軸２６ａを搬送路ａ２’の中央へ向けて水平に突出せしめた状態で片持ち状に取り付け支持してある。又、各片持ち軸２６ａの突出端には、側部プーリ２６ｂを回転自在に取り付け支持してある。
尚、上記駆動軸２３ａの各駆動プーリ２３ｂと、折り返し軸２５ａの各折り返しプーリ２５ｂと、各中間軸２４ａの各中間プーリ２４ｂと、各片持ち軸２６ａの側部プーリ２６ｂとは、各々搬送路ａ２’の左右両側と中央部に走る各直線上に配置してある。
【００３１】
前述した駆動軸２３ａの各駆動プーリ２３ｂと、折り返し軸２５ａの各折り返しプーリ２５ｂとの間には、それぞれ無端状のＶベルト２８を架設し、これら各Ｖベルト２８の中間部を中間プーリ２４ｂと側部プーリ２６ｂとにより下側から支承して、３本の各Ｖベルト２８を各々直線状にガイドするように構成してある。尚、中央のＶベルト２８のみは、側部プーリ２６ｂの支持がなく、中間プーリ２４ｂだけで中間部の支持とガイドを行っている。
【００３２】
即ち、前述したように架設した３本のＶベルト２８の上面により、搬送路ａ２’の搬送面２０を構成し、上記各Ｖベルト２８を駆動せしめることにより、該搬送面２０上に載置した苗箱ｂがコンベヤ始端側から終端側へ向けて搬送されるよう構成してある。
【００３３】
苗箱搬送コンベヤａ２に設けた駆動軸２３ａの一端部側に位置する枠体２２の下部には、コンベヤ用の駆動モータ３０を設置し、該駆動モータ３０の出力軸に設けたスプロケット３１ａと上記駆動軸２３ａの一端部に設けたスプロケット３１ｂとの間に無端状のチェーン３１ｃを架設してある（図１参照）。
即ち、上記駆動モータ３０の駆動回転を、両スプロケット３１ａ，３１ｂとチェーン３１ｃを介して駆動軸２３ａ及び各駆動プーリ２３ｂに伝達することにより、搬送面２０を構成する各Ｖベルト２８が同期して駆動回転するように構成してある。
【００３４】
また、苗箱整列装置ａは、図１および図２に示すように、苗箱搬送コンベヤａ２における左右両辺部２２ａ間の駆動軸２３ａよりも更にコンベヤ始端側の部分に、３本のローラ用支軸２７ａを定間隔にてそれぞれ架設し、これら各ローラ用支軸２７ａに２個一対のローラ２７ｂを適宜の間隔をおいて回転自在に取り付け支持してある。
このように、ローラ２７ｂを回転自在に支持する各ローラ用支軸２７ａを設けた苗箱搬送コンベヤａ２の搬送面２０のコンベヤ始端部側は、苗箱ｂの供給部２０ａとなり、この供給部２０ａの上に苗箱ｂを載せることにより、苗箱ｂが滑るように搬送面２０の始端部上に移動される。
【００３５】
苗箱搬送コンベヤａ２の終端部の枠体２２からは２本のアーム杆４１を延出せしめ、その先端部に平面視が略矩形状の平板からなる傾動板４０を傾動可能に取り付け支持してある。
【００３６】
傾動板４０は、苗箱搬送コンベヤａ２の搬送面２０の終端部まで搬送されてきた苗箱ｂを滑らせて地面に静かに載置せしめるものであり、裏面に沿って２本のローラ軸４２を架設し、該ローラ軸４２の左右両側と中央部とにローラ４３を回転自在に取り付けてある。
各ローラ４３は、傾動板４０の左右両側と中央部とに切欠形成した開口部４０ａから最上部を適度に突出せしめ、上記した如く傾動板４０板上に沿って滑り降りる苗箱ｂが、上記各ローラ４３の回転により円滑に移動するように工夫してある。
【００３７】
傾動板４０の基端側の左右両側には、上記した如く枠体２２から延出せしめた２本のアーム杆４１の先端部を接合し、ピン４４を介して回動可能に軸支してある。即ち、上記傾動板４０は、基端側を上記アーム杆４１の先端部に軸支され、同傾動板４０の先端縁が地面に接触した状態と、上方へ跳ね上げられた状態との間を回動する。
又、上記傾動板４０の支軸となる両ピン４４には、ねじりコイルバネ４５を弾装し、同バネ４５の付勢力により、上記傾動板４０の先端側が常時上方へ向けて跳ね上げられるように支持してある（図６参照）。
【００３８】
尚、前述したように上方へ向けて跳ね上げられた状態の傾動板４０の上に苗箱ｂが載った状態では、同苗箱ｂの自重により上記傾動板４０の先端縁が地面に接地した状態となり、これにより、上記苗箱ｂが同傾動板４０の上に沿って滑り降りて地面の上に載置されることになる。
【００３９】
前述した如く構成した苗箱搬送コンベヤａ２は、左右両側のガイド板２１における中央部よりも幾分始端（上方）寄りの位置に枢支部２９を設け、該枢支部２９を、前記した如く走行車ａ１の車体フレーム１１後半部１１ｂに立設した支持杆５６の上端部に対して枢軸２９ａを介して枢支することにより、上記走行車ａ１の上に傾動可能な状態で設置してある。
前述した如く走行車a1上に設置した苗箱搬送コンベヤａ２は、支点となる左右両枢軸２９ａよりも後側が長くなるので、重心位置が上記枢軸２９ａよりも後方側に位置する。従って、上記苗箱搬送コンベヤａ２は、自重によりコンベヤ終端側が地面近くまで降下した傾斜状態にて支持されることになる。
【００４０】
又、前述した如く自重により傾斜する苗箱搬送コンベヤａ２の終端側の一側部には、下方へ向けて延出する脚体３２を設け、この脚体３２の下端部に車輪３２ａを回転自在に取り付け固定してある。
【００４１】
脚体３２及び車輪３２ａは、上記した如く後方下がりに傾斜する苗箱搬送コンベヤａ２の終端部を下から支承し、コンベヤ終端部を地面から若干上方に位置せしめることにより、コンベヤ終端部と地面との間を前記傾動板４０により連絡し得る状態と成す。
又、車輪３２ａは、走行車ａ１の走行に伴って転がり移動する。因みに、上記脚体３２及び車輪３２ａは、コンベヤ終端部の左右両側に設けてもよい。
【００４２】
一方、苗箱搬送コンベヤａ２の始端側に設けた供給部２０ａのローラ用支軸２７の中間部には、支持杆３３の上端部を嵌着して回動可能に軸支する。又、上記支持杆３３の下端部は、走行車ａ１のカバー５７に取り付け固定した止着片３４ａに対して着脱可能なピン３４を介して取り付け固定してある。又、上記カバー５７における上記止着片３４ａの下方部には、同様な止着片３４ｂを取り付け固定してある。
前述した如く走行車ａ１の上に設置した苗箱搬送コンベヤａ２は、上方の止着片３４ａに止着した支持杆３３の下端部のピン３４を取り外し、同支持杆３３の下端部を下側の止着片３４ｂにピン３４を介して止着することにより、上記した如く枢軸２９ａを支点として傾動可能に支持される苗箱搬送コンベヤａ２の終端側を大きく上方へ移動せしめた状態で保持し得る（図５の状態）。
【００４３】
而して、前述したように苗箱搬送コンベヤａ２の終端側を上方へ大きく移動せしめた状態では、コンベヤ終端部と地面との間の距離を大きく保つことができるので、大きな凹凸や障害物のある地面等を移動する際においては、コンベヤ終端部を地面の凸部や障害物等に当てることなく円滑に移動せしめることができる。
【００４４】
苗箱整列装置ａは、走行車ａ１の車体フレーム１１後半部１１ｂの左右両側に、断面略コ形の嵌入体６１を適宜の間隔をおいて垂直に取り付け固定してある。上記嵌入体６１には、苗箱搬送コンベヤａ２の上を横架する状態で設置するテーブル６２の脚部６２ａを嵌入して、ボルト６１ａを挿通せしめることにより、上記テーブル６２の各脚部６２を車体フレーム１１に対して取り付け支持してある。
【００４５】
テーブル６２は、苗箱ｂを重ねた状態で載置するためのものである。同テーブル６２の上に載置した苗箱ｂは、例えば、後述するように多数の苗箱ｂを積んだ台車から苗箱搬送コンベヤａ２始端部の供給部２０ａに対して順次供給する苗箱ｂが一時的に無くなった場合、次の苗箱ｂを積んだ台車が用意されるまでの間、上記テーブル６２上の苗箱ｂを降ろして苗箱搬送コンベヤａ２に供給することにより、作業の中断を回避するためのものである。尚、上記したテーブル６２は必ずしも設ける必要はない。
【００４６】
ところで、上記した如く構成した苗箱整列装置ａは、走行車ａ１による走行速度と、苗箱搬送コンベヤａ２の駆動速度、即ち、苗箱ｂを地面に載置して行く速度とを連繋せしめ、上記苗箱搬送コンベヤａ２の終端部から地面に順次並べられる苗箱ｂの間隔が同苗箱ｂの幅とぴったりと一致するように設定する。
又、上記した走行車ａ１による走行速度と、苗箱搬送コンベヤａ２の駆動速度との同期は、コントロールボックス５２のボリュームを使用して微調整することにより行う。
【００４７】
走行車ａ１と苗箱搬送コンベヤａ２の駆動は、上記コントロールボックスのスイッチを使用して別々に行うことができる。又、上記実施例においては、苗箱搬送コンベヤａ２の終端部の側部に光センサ若しくはリミットスイッチ等のセンサ７０を設置し、該センサ７０により搬送路ａ２’の終端部に苗箱ｂが通過したか否かを検出する。
そして、上記センサ７０を苗箱ｂが横切ったことに基づいて走行車ａ１が駆動走行を開始して苗箱ｂの整列作業を開始するように構成してある。即ち、苗箱搬送コンベヤａ２が駆動している状態でも搬送路ａ２’上から地面に対して苗箱ｂが載置されない状態、例えば搬送路ａ２’上に苗箱ｂが無い場合には、走行車ａ１が無闇に走行しないように構成してある。
【００４８】
次に、以上の如く構成した苗箱整列装置ａを用いて地面に苗箱を整列する際の説明を行う。
通常の場合、本実施例の苗箱整列装置ａは、２名若しくは３名の作業者が組んで作業を行うのが好ましい。作業者の一人は、苗箱整列装置ａの走行と停止、及び走行方向と方向転換等の操作を行う。
又、実際に苗箱ｂの整列作業を行う際には、苗箱整列装置ａと共に、複数台の台車（図示せず）を用意し、その台車に、上記苗箱整列装置ａに供給する苗箱ｂを積み重ねて搭載しておく。よって、残りの作業者は、上記台車に積んだ苗箱ｂを、苗箱整列装置ａの苗箱搬送コンベヤａ２の供給部に１枚ずつ供給する作業を行ったり、若しくは、台車上に載せた苗箱ｂが無くなった際に、新たな苗箱ｂを台車に搭載して整列作業中の苗箱整列装置ａの位置まで運んで来る作業等を行う。
【００４９】
例えば、ビニールハウス内の地面等に苗箱ｂを整列させる場合には、ビニールハウス内まで移動させて作業を開始する時には苗箱整列装置ａの苗箱搬送コンベヤａ２の搬送路ａ２’上に、上記した如く台車の上に搭載した苗箱ｂを一枚ずつ供給して隙間無く一列状に載置する。尚、この作業開始時における搬走路ａ２’上への苗箱ｂの供給は苗箱搬送コンベヤa2を作動させた状態で供給部20aに一枚ずつ供給して隙間無く一列状に載置させるも良い。
【００５０】
上記した苗箱搬送コンベヤａ２の搬送路ａ２’の全長に苗箱ｂが載置されたならば、コントロールボックス５２のスイッチを操作して苗箱搬送コンベヤａ２を作動させる。これと同時に、同コンベヤａ２の終端部に設けたセンサ７０が苗箱ｂの通過を検出し、これに伴って瞬時に走行車ａ１が前方、即ち、ハンドル19方向へ直進走行を開始する。
又、前述した如く苗箱整列装置ａの走行移動に伴って、作業者は苗箱ｂを搭載した台車を並走させ、該台車から苗箱搬送コンベヤａ２の供給部20a上に苗箱を一枚ずつ順次供給する。
【００５１】
上記苗箱搬送コンベヤａ２の搬送路ａ２’の終端部から傾斜板４０の上に苗箱ｂが移動すると、跳ね上げ状態にあった傾斜板４０が苗箱ｂの自重によって降下し、その先端縁部が地面に接地、若しくは近接した状態となる。
よって、上記した如く傾斜板４０上に搬送された苗箱４０は、同傾斜板４０の傾斜に沿って滑り降り、その下縁側が地面に接地すると同時に、走行車ａ１の直進走行によって傾斜板４０が進行方向へ移動することにより、同苗箱ｂは地面に静かに送り出される。
【００５２】
以後、上記した如く駆動する苗箱搬送コンベヤａ２によって、同コンベヤａ２の搬送路ａ２’上に載置した苗箱ｂが１枚ずつ傾斜板４０を滑り降りて地面に順次に載置され、ビニールハウスの長手方向に一列状に整列されていく。又、地面に送り出された各苗箱ｂは、走行車ａ１の走行速度と、苗箱搬送コンベヤａ２の駆動速度を正確に連繋せしめることにより、ビニールハウスの長手方向において隣り合う苗箱ｂ同士の間に若干の隙間を介して、又は苗箱ｂ同士が隙間無く互いに隣接せしめた状態で規則正しくビニールハウスの長手方向に一列状に整列される。
【００５３】
上記したように苗箱ｂが地面に送り出されるのと同時に、苗箱搬送コンベヤａ２の搬送路ａ２’上に載置した苗箱ｂが一枚ずつ減っていく。従って、作業者は、上記搬送路ａ２’上の苗箱ｂが減る度に、前記したように苗箱整列装置ａと並走させる台車上の苗箱を苗箱搬送コンベヤａ２の供給部２０ａに供給し、上記搬送路ａ２’上から苗箱ｂが無くならないようにする必要がある。
苗箱整列装置ａを直進走行させながら、ビニールハウスの長手方向の地面に苗箱ｂを一列状に整列する前列（一列目）の整列作業が終了したならば、その列の終端位置にて走行車ａ１のクラッチレバー１５を下方へ傾動させ、動力伝達機構の両プーリ１４ａ，１４ｂ間に架設したＶベルト１４ｃに対するテンションローラ１５ａの押圧力を解放し、駆動モータ１３から駆動タイヤ１２に対する動力伝達を断って苗箱整列装置ａを停止させる。
【００５４】
苗箱整列装置ａは、上記したようにクラッチレバー１５を下方に傾動させて動力の伝達を断った状態において、ハンドル19のハンドル部１９ｂを持って後押しすることにより、人力によって前進及び後進させることが可能である。
よって、上記したようにハウス内の地面に整列した苗箱列の端まで移動した際には、クラッチレバー１５を下げて動力の伝達を断った後、上記ハンドル部１９ｂを持って後押ししながら適宜にハンドル部１９ｂを必要に切ることにより、苗箱整列装置ａを方向転換する。そして、上記したハンドル部１９を押し上げて動力の伝達を再開させることにより、前記した場合と同様に、苗箱整列装置ａを走行させながら、既に地面に整列してある前列（一列目）の苗箱ｂ列に沿って苗箱ｂを整列していく（図４の状態）。
この際、前記した矢印杆５５を使用し、該矢印杆５５の矢印５５ａが地面に整列させた前列の苗箱ｂの一側縁部に沿って移動するように走行車ａ１を直進走行させることにより、同走行車ａ１上の苗箱搬送コンベヤａ２から地面に送り出される苗箱ｂが、上記前列の苗箱ｂ列の他側縁部に沿って隣り合う苗箱ｂ同士の間に若干の隙間を介して、又は苗箱ｂ同士が隙間無く互いに隣接せしめた状態で規則正しく整列されていく。
【００５５】
又、前述した苗箱ｂの整列作業中において、苗箱ｂを供給する台車から苗箱ｂが無くなった場合には、苗箱ｂを搭載した代わりの台車を作業中の苗箱整列装置ａの隣に移動させるまでに若干の時間がかかる。このような場合、苗箱ｂが搭載された新たな台車を苗箱整列装置ａの隣に移動させるまでの間、前記したように苗箱搬送コンベヤａ２の上に接地したテーブル６２に積み重ねておいた苗箱ｂをコンベヤａ２の供給部に順次供給して時間を稼ぐことにより、供給する苗箱ｂが無くなって作業を中断するのを回避することができる。
【００５６】
尚、前述したように苗箱搬送コンベヤａ２の供給部２０ａに対して苗箱ｂを順次供給する作業は、上記実施例のように人力によって行ってもよいが、上記コンベヤａ２の供給部２０ａに苗箱ｂの自動供給装置を設置し、該自動供給装置から上記供給部２０ａに対して自動的に苗箱ｂを１枚ずつ供給するように構成してもよい。
【００５７】
つぎに、図９〜図１２に示す横アジャスター機構７１を備えた本発明苗箱整列装置ａ−１の実施形態について説明する。
この実施形態に係る苗箱整列装置ａ−１は、苗箱ｂを地面に整列するときの走行車ａ１の走行方向に対して苗箱搬送コンベヤａ２を左右に水平移動し得るように、横アジャスター機構７１を介して走行車ａ１の車体フレーム１１の上に苗箱搬送コンベヤａ２を横スライド可能に支持させた構成としている。
【００５８】
然るに、斯かる実施例においては前述した実施例詳述のように、既に地面に整列せしめた前列の苗箱ｂの一側縁部に沿わせて走行車a1を直進走行させて例えば二列目以降に苗箱ｂを整列する作業中に、走行車a1の直進走行が地面の凸凹な地表面によって乱れ、走行車a1が前列の苗箱ｂ列から離れたり、接近しすぎた場合、苗箱搬送コンベヤａ２を横スライド移動させることにより、同苗箱ｂ列の他側縁部に沿って隣り合う苗箱ｂ同士の間に若干の隙間を介して、又は苗箱ｂ同士が隙間無く互いに隣接せしめた状態で規則正しく整列させる整列修正を可能に構成してなる。
即ち、苗箱ｂ列から離れると、苗箱搬送コンベヤa2の搬送路ａ２’の終端部から傾斜板４０に沿って地面に滑り降りる苗箱ｂが前列の苗箱ｂの他側縁部との間に隙間が徐々に大きく生じた状態で地面に載置されてしまう整列の乱れが生じる。逆に接近しすぎると、苗箱搬送コンベヤa2から送り出されてくる苗箱ｂが前列の苗箱ｂの他側縁部上に載ってしまう等の整列作業を一時中断して走行を元の直進走行状態に戻すやり直しが必要となることがある。
【００５９】
ところで、苗箱ｂを整列する前に地面を平らに均す作業を行ってはいるものの、場所によってはどうしても凸凹な地表面が存在し、この凸凹な地表面によって走行車a1の駆動タイヤ12、方向転換用のタイヤ17の回転走行方向が乱されて走行車ａ１が前列の苗箱ｂ列から離れたり、接近しすぎてしまうと言った走行車a1の直進走行に乱れが起る。この凸凹な地表面は地質や乾燥等の様々な条件により起り易く、避けられないのが現状である。
【００６０】
横アジャスター機構71は、走行車a1の車体フレーム11に対し苗箱搬送コンベヤa2を左右スライド可能に支持する支持部71aと、同走行車a1のハンドル近傍に設けた正逆回転可能な操作部71bと、この操作部71bと連繋されて該操作部71bの操作に伴い苗箱搬送コンベヤa2を左右何れかの方向に水平移動させる動作伝達機構部71cとから構成してなる。
【００６１】
支持部71aは、走行車a1の車体フレーム11の前半部11aと後半部11bに夫々配設した前後のスリーブ72と、この前後のスリーブ72に夫々横摺動可能に貫通させて左右開放端を苗箱搬送コンベヤa2の枠体22の左右両側辺部22aに固着させた前後のスライド杆73とからなる。
【００６２】
前側のスリーブ72は、車体フレーム11の前半部11ａ側に立設した左右の立設杆74の上端間に亘り架橋状に取り付けた前側横杆75に具備され、一方、後側のスリーブ72は、車体フレーム11の後半部11b側に架橋状に直接取り付けた後側横杆76に具備されてなる。
尚、この前後のスリーブ72は、苗箱搬送コンベヤa2の設置傾斜角度を成す高さにて車体フレーム11の前半部11a側と後半部11b側に前述した状態で配設されてなる。又、図示を省略しているが、内周面にはスライド杆73の摺動潤滑作用を高めるために合成樹脂材料等からなる潤滑リングを内在させてなる。
【００６３】
前後のスライド杆73は、パイプ材や棒材等からなり、苗箱搬送コンベヤa2の枠体22の左右両側辺部22aに、前述した前後のスリーブ72の配設間隔にて固着具備されて該前後のスリーブ72に夫々貫通状に支持させることにより、苗箱搬送コンベヤa2を横スライド可能に支持するようにして成る。
【００６４】
操作部71bは、苗箱ｂの整列作業中において苗箱ｂ整列装置の走行操作と苗箱搬送コンベヤへの苗箱ｂの供給を行う作業者が、走行車a2のハンドル19を操作する位置（姿勢）にて腕を伸ばすことで操作し得る手元操作が可能となるようにハンドル19の近傍に配設されるもので、略クランク状に形成された回転操作式のハンドル形状を成し、前述した車体フレーム11の前側横枠76等からハンドル19側に向けて後方傾斜状に取り付けた腕杆77の突端から下方に垂設せしめた腕板78の下端側に一端を回動可能に軸支させると共に、その軸支側には動作伝達機構部71cの後述するスプロケット79を取り付けてなる。
【００６５】
動作伝達機構部71cは、操作部71bの回転操作方向に対応させて横スライド可能な苗箱搬送コンベヤa2を左右何れかの方向に水平移動させるべく、操作部71bの動きを苗箱搬送コンベヤa2に伝えるものであり、操作部71bの一端軸支側に一体的に取り付け配設されて該操作部71bの回転と共に同軸回動する第１のスプロケット79、このスプロケット79に第１のチェーン80を介して連繋された状態でその上方部位の腕杆77に同軸回動可能に取り付け配設される第２のスプロケット8１、このスプロケット81の裏側に同軸且つ一体的に取り付け配設されて該スプロケット81と共に同軸回動する第３のスプロケット82、車体フレーム11の前述した前後の横杆75,76間に亘り苗箱搬送コンベヤa2のコンベヤ幅間隔にて回動可能に架設した左右の伝達軸83、この左右の伝達軸83の内、前記第３のスプロケット82に側方の存在する伝達軸83の一端側に、同スプロケット82に第２のチェーン84を介して連繋された状態で一体的に取り付け配設される第４のスプロケット85、前記左右の伝達軸83の両端側（前後端側）に夫々一体的に取り付けられて前後の第３のチェーン86により夫々連繋された状態で配設される前後の第５，第６のスプロケット87，88からなり、そして、前後の第３のチェーン86の一部を、苗箱搬送コンベヤa2裏面にコンベヤ方向に向けて取り付けた枠体89に止着具90を介して連結せしめて成る（図９乃至図11参照）。
【００６６】
而して、動作伝達機構部71cは、操作部71ｂを左右何れかの方向に回転させると、その動きが第１のスプロケット79から第１のチェーン80を介して第２のスプロケット81へ、この第２のスプロケット81と同軸回動する第３のスプロケット82から第２のチェーン84を介して第４のスプロケット85へ、そして、この第４のスプロケット85と同軸回動する一方の伝達軸83、この伝達軸85の第５のスプロケット８７と第３のチェーン86を介して連繋する第６のスプロケット88と同軸回動する他方の伝達軸83へと伝達されることで、横スライド可能な苗箱搬送コンベヤa2は前後の第３のチェーン86の動きにより走行車a1の真上センターに位置する通常の状態（図12（ａ）の状態）から左右何れかの方向に水平移動される（図12（ｂ）の状態又は図12（ｃ）の状態）。
【００６７】
次に、以上の如く構成した横アジャスター機構71を具備する苗箱整列装置a-1によれば、前述した実施例詳述のように、苗箱搬送コンベヤａ２の搬送路ａ２’上に隙間無く一列状に載置された苗箱ｂが、走行車ａ１の直進走行により、１枚ずつ傾斜板４０を滑り降りて地面に順次に載置されていく途中で、既に整列せしめた前列（一列目乃至数列目）の苗箱ｂ列に沿って走行する走行車a1の直進走行が凸凹な地表面によって乱れ、例えば同苗箱ｂ列から離れた場合には横アジャスター機構71の手元操作部71bを回動操作せしめて横スライド可能な苗箱搬送コンベヤa2を苗箱ｂ列側に水平移動（横移動）させる（図12（ｂ）の状態又は図12（ｃ）の状態）。
従って、走行車a1の直進走行の乱れに伴う前列の苗箱ｂ列との整列乱れを横アジャスター機構71による苗箱搬送コンベヤa2の水平移動により修正し、既に地面に整列せしめた前列の苗箱ｂ列に沿わせて苗箱ｂ同士の間に若干の隙間を介して、又は隙間無く互いに隣接せしめた状態で苗箱ｂを規則正しく載置整列することができる。よって、より効果的に作業効率の向上が期待できる。
【００６８】
つぎに、図１３および図１４に示す横アジャスター機構７１―１を備えた苗箱整列装置ａ−２の他の実施形態について説明する。
この実施形態に係る苗箱整列装置ａ−２は、図１３に示すように、横アジャスター機構７１―１を構成する操作部７１―１ｂの形態を変え、なおかつ、動作伝達機構部７１−１ｃの形態を前述した実施例詳述よりも簡素化させた構成としている。
すなわち、横アジャスター機構７１−１の操作部７１−１ｂは、図１３および図１４に示すように、所望の長さを有する杆状を成し、その途中部位を前述した車体フレーム１１の前側横枠７４に横振り回動可能に枢着し、一端側（掴持側）を走行車ａ１のハンドル１９側に位置させるとともに、他端側を前側横枠７５の後方側に位置させている。これにより、操作部７１−１ｂの一端側を左右に振ることで、枢着部９１を支点に他端側も左右に振られるようにしている。そして、この他端側に動作伝達機構部７１−１ｃの伝達部材９２を取り付けている。
【００６９】
動作伝達機構部71-1cは、操作部71-1bの他端側に固着具備せしめる平面視略コの字形を呈する伝達部材92と、苗箱搬送コンベヤa2の横桟に取り付けた回転部材93からなり、この回転部材93に伝達部材92を係合せしめて、操作部71-1bの一端側を左右に振ることにより、回転部材93が左右に移動し、苗箱搬送コンベヤa2を水平移動させるようにして成る。尚、回転部材93は潤滑性の高い合成樹脂材料材からローラー形態に形成されたものや、ベアリング等から形成され、操作部71-1bの左右何れかの横振り操作時に伴う伝達部材92の横移動時に伝達部材92と摩擦抵抗を少なくして操作部71-1bの動きを苗箱搬送コンベヤa2に滑らかに伝えて、該苗箱搬送コンベヤa2を滑らかに水平移動（横移動）し得るようにして成る。
【００７０】
尚、機枠フレーム11に対し苗箱搬送コンベヤa2を横スライド可能に連結支持させる支持部71-1aの構成形態においては前述した実施例詳述と同じことから同じ構成部分に同じ符号を設けることで重複説明は省略する。
【００７１】
而して、斯かる構成の横アジャスター機構71-1によれば、前述した実施例詳述のように、既に整列せしめた前列（一列目乃至数列目）の苗箱ｂ列に沿って走行する走行車a1の直進走行が凸凹な地表面によって乱れた場合には、横アジャスター機構71-1の手元操作部71-1bを横振り操作せしめて横スライド可能な苗箱搬送コンベヤa2を苗箱ｂ列側に水平移動（横移動）させることで（図14（ａ）の状態から（ｂ）又は（ｃ）の状態）、走行車a1の直進走行の乱れに伴う前列の苗箱ｂ列との整列乱れを修正し、既に地面に整列せしめた前列の苗箱ｂ列に沿わせて苗箱ｂ同士の間に若干の隙間を介して、又は隙間無く互いに隣接せしめた状態で苗箱ｂを規則正しく整列することができる。
【００７２】
つぎに、図１５および図１６に示す横アジャスター機構７１−２を備えた本発明の苗箱整列装置ａ−３の更に他の実施形態について説明する。
この実施形態に係る苗箱整列装置ａ−３は、図１５および図１６に示すように、横アジャスター機構７１−２の支持部７１−２ａ、操作部７１−２ｂ、動作伝達機構部７１―２ｃ、これらの構成形態を他の構成形態にて形成している。
すなわち、斯かる実施形態に係る横アジャスター機構７１−２の支持部７１―２ａは、前述した実施例詳述の前後のスライド杆７３をそれぞれ上下から挟持する状態で支持する太鼓形を呈する上下一対のローラ９４を機枠フレーム１１に取り付けた前後の横枠に取付プレート９５を介してそれぞれ左右２ヶ所に具備し、前後のスライド杆７３を横移動可能に支持する。つまり、苗箱搬送コンベヤａ２を横スライド可能に支持するように構成している。
【００７３】
操作部71-2bは、一端側を長尺とする略クランク状に形成された回転操作式のハンドル形状を成し、その短尺側（掴持側）を走行車a1のハンドル19側に位置させると共に、長尺側を機枠フレーム11の前側横枠75の後方側に位置させて該横枠75等に回動可能に枢着せしめて短尺側を左右何れかの方向に回動させることで、その何れかの方向に長尺側が同軸回動するように取り付け配設して、当該長尺側の端部に動作伝達機構部71-2cのスプロケット96を取り付けて成る。
【００７４】
動作伝達機構部71-2cは、操作部71-2bの長尺側端部に同軸回動可能に固着具備せしめるスプロケット96と、苗箱搬送コンベヤa2の横桟裏面側に全長に亘りネジ止め等により固着付設するチェーン97からなり、このチェーン97にスプロケット96を係合せしめて、操作部71-2bの一端側を回すことにより、スプロケット96が回動し、苗箱搬送コンベヤa2を水平移動させるように構成して成る。
尚、動作伝達機構部71-2cの構成形態としては斯かる構造に限らず、例えばスプロケット96の代わりにピニオンを、チェーン97の代わりにラックを採用して構成するも勿論良く、任意である。
【００７５】
而して、斯かる構成の横アジャスター機構71-2によれば、前述した実施例詳述のように、既に整列せしめた前列（一列目乃至数列目）の苗箱ｂ列に沿って走行する走行車a1の直進走行が凸凹な地表面によって乱れた場合には、横アジャスター機構71-2の手元操作部71-2bを回動操作せしめて横スライド可能な苗箱搬送コンベヤa2を苗箱ｂ列側に水平移動（横移動）させることで（図16（ａ）の状態から（ｂ）又は（ｃ）の状態、走行車a1の直進走行の乱れに伴う前列の苗箱ｂ列との整列乱れを修正し、既に地面に整列せしめた前列の苗箱ｂ列に沿わせて苗箱ｂ同士の間に若干の隙間を介して、又は隙間無く互いに隣接せしめた状態で苗箱ｂを規則正しく整列することができる。
【００７６】
尚、前述した各実施例詳述の横アジャスター機構71，71-1，71-2の構成形態は一例にすぎず、走行車a1のハンドル１９側の操作で苗箱搬送コンベヤa2を左右に水平移動し得る構成形態であれば良く、限定されるものではない。
【００７７】
【発明の効果】
本発明の苗箱整列装置は、以上のように構成されていることから以下の作用効果を奏する。
走行車を所定の速度にて走行させながら、同走行車の上から地面に向けて傾斜させて設置した苗箱搬送コンベヤの搬送路上を、走行車の走行速度に同調連繋させた搬送速度で苗箱を一列状に搬送し、地面に接近或いは接触させたコンベヤ終端部から地面に順次送り出して、同地面に苗箱を一列状に整列することができる。
このとき、既に整列せしめた前列（一列目乃至数列目）の苗箱列に沿って走行する走行車の直進走行が凸凹な地表面によって乱れた場合には、走行車のハンドル側に位置させて備えられている横アジャスター機構の手元操作部を操作し、動作伝達機構部を動かして苗箱搬送コンベヤを苗箱列側に水平移動（横移動）させることで、走行車の直進走行の乱れに伴う前列の苗箱列との整列乱れを修正しながら、前列の苗箱列に沿わせて苗箱同士の間に若干の隙間を介して、又は隙間無く互いに隣接せしめた状態で苗箱を規則正しく整列することができる。
つまり、作業者は、走行車のハンドル操作による走行車の走行方向をコントロールする姿勢を保ちながら横アジャスター機構の動作伝達機構部を手元操作で動かし、前列の苗箱列との整列乱れを修正すべく苗箱搬送コンベヤを水平移動させることができる。
これにより、既に整列せしめた前列の苗箱列に沿って走行する走行車の直進走行が凸凹な地表面によって乱れた場合でも、整列作業を中断させること無く、前列の苗箱列に沿わせながら苗箱を地面に整列させる作業を継続的に行うことができることで、効率的に整列作業を遂行させることができる。
【００７９】
また、本発明では、苗箱搬送コンベヤの終端部に、傾動板を回動可能に軸支し、同傾動板に跳ね上げ用バネを設けて、同傾動板の先端部を常時上方へ跳ね上げるように付勢し、同傾動板上を苗箱が通過する際には、その苗箱の自重により傾動板の先端部側が地面に接地するように構成している。
これにより、例えば、苗箱整列装置を、保管場所などから整列作業を行うビニールハウスなどへと移動させるときなどのときには、傾動板は跳ね上げ用バネにより跳ね上げられた状態に維持されて地面から離れた状態であるために、苗箱搬送コンベヤを作動させずに走行車を走行させる際には、苗箱搬送コンベヤの終端部が地面に接触、特に凸凹な地表面に接触するのを防いで円滑に移動させることができる。よって、取扱い性の向上が図られた苗箱整列装置を提供することができる。
一方、苗箱搬送コンベヤを作動させて傾動板の上を順次苗箱が通過するときには、傾動板は通過する苗箱の自重によってその先端部側が地面に接地し、苗箱搬送コンベヤの終端部と地面とを連絡する状態となるので、苗箱搬送コンベヤの終端部から地面へ向けて苗箱を円滑に、かつ、衝撃などを与えること無く送り出し、苗箱を地面に一列状に整列させる整列作業を遂行させることができる。
【図面の簡単な説明】
【図１】  本発明苗箱整列装置の実施の基本形態を示す側面図
【図２】  同苗箱整列装置の苗箱搬送コンベヤを示した平面図で、一部を省略して示す
【図３】  苗箱搬送コンベヤを省略した同苗箱整列装置の走行車を示す平面図
【図４】  一部を省略した同苗箱整列装置の正面図
【図５】  苗箱搬送コンベヤを傾動させてコンベヤ終端側を上方へ移動させた状態の苗箱整列装置を示す側面図
【図６】  苗箱搬送コンベヤの終端部側を拡大して示した側面図で、一部切欠して示す
【図７】  方向転換用タイヤのリンク機構を示す説明図
【図８】  動力伝達機構を示す正面図で、（ａ）は、低速側に切換えた状態を示す、（ｂ）は、高速側に切換えた状態を示す
【図９】  横アジャスター機構を備えた本発明苗箱整列装置の実施形態を示す側面図
【図１０】  苗箱搬送コンベヤを省略した同苗箱整列装置の横アジャスター機構を拡大して示す平面図
【図１１】  図９のXI-XI線断面図
【図１２】  横アジャスター機構による苗箱搬送コンベヤの動きを示した説明図で、（ａ）は、苗箱搬送コンベヤを走行車の真上センターに位置させた通常の状態を示す、（ｂ）は、進行方向に対し、苗箱搬送コンベヤを左方向に水平移動させた状態を示す、（ｃ）は、右方向に水平移動させた状態を示す
【図１３】  横アジャスター機構を備えた本発明苗箱整列装置の他の実施形態を示す側面図
【図１４】  横アジャスター機構による苗箱搬送コンベヤの動きを示した説明図で、（ａ）は、苗箱搬送コンベヤを走行車の真上センターに位置させた通常の状態を示す、（ｂ）は、進行方向に対し、苗箱搬送コンベヤを左方向に水平移動させた状態を示す、（ｃ）は、進行方向に対し、右方向に水平移動させた状態を示す
【図１５】  横アジャスター機構を備えた本発明苗箱整列装置の更に他の実施形態を示す側面図
【図１６】  図１５のXVI-XVI線拡大断面図であり、（ａ）は、苗箱搬送コンベヤを走行車の真上センターに位置させた通常の状態を示す、（ｂ）は、進行方向に対し、苗箱搬送コンベヤを左方向に水平移動させた状態を示す、（ｃ）は、進行方向に対し、右方向に水平移動させた状態を示す
【符合の説明】
ａ，ａ−１，ａ−２，ａ−３…苗箱整列装置  ａ１…走行車  ａ２…苗箱搬送コンベヤ  ａ２’…搬送路  ｂ…苗箱  １１…車体フレーム  １２…駆動タイヤ  １３…駆動モータ  １５…クラッチレバー  １７…タイヤ（方向転換用）  １９…ハンドル  ２０…搬送面  ２８…Ｖベルト  ４０…傾動板  ７１，７１−１，７１−２…横アジャスター機構  ７１ａ，７１−１ａ，７１−２ａ…支持部  ７１ｂ，７１−１ｂ，７１−２ｂ…操作部  ７１ｃ，７１−１ｃ，７１−２ｃ…動作伝達機構部
【図１】
0004174136.tif 000002
【図２】
0004174136.tif 000003
【図３】
0004174136.tif 000004
【図４】
0004174136.tif 000005
【図５】
0004174136.tif 000006
【図６】
0004174136.tif 000007
【図７】
0004174136.tif 000008
【図８】
0004174136.tif 000009
【図９】
0004174136.tif 000010
【図１０】
0004174136.tif 000011
【図１１】
0004174136.tif 000012
【図１２】
0004174136.tif 000013
【図１３】
0004174136.tif 000014
【図１４】
0004174136.tif 000015
【図１５】
0004174136.tif 000016
【図１６】
0004174136.tif 000017